(57)【要約】【課題】急激な浮遊物の増加に応じて室内空気の清浄化能力をいち早く増加できると共に、突発的なノイズ等での風速の不要な増速を招くことの無い空気調和機を提供することにある。【解決手段】送風機と、光電式浮遊物センサーと、該浮遊物センサー出力の第１の所定時間内の第１の所定個数のデータの中の上位から２番目以降の所定順位のデータを抽出する手段と、該浮遊物センサー出力の第２の所定時間内の第２の所定個数のデータの平均値を求める手段と、該所定順位のデータにより該送風機を増速制御する手段と、該平均値により該送風機を減速制御する手段とを備える。【選択図】図６
2007155303.tif 000002
【特許請求の範囲】
【請求項１】
送風機と、光電式浮遊物センサーと、該浮遊物センサー出力の第１の所定時間内の第１の所定個数のデータの中の上位から２番目以降の所定順位のデータを抽出する手段と、該浮遊物センサー出力の第２の所定時間内の第２の所定個数のデータの平均値を求める手段と、該所定順位のデータにより該送風機を増速制御する手段と、該平均値により該送風機を減速制御する手段とを備えることを特徴とする空気調和機。
【請求項２】
前記第１の所定時間を前記第２の所定時間と同時間若しくは短時間、又は、前記第１の所定個数を前記第２の所定個数と同数若しくは少数とし、前記所定順位を２以上で前記第１の所定個数の１／２以下とし、且つ、前記減速制御時は減速前の送風状態を第３の所定時間維持した後に減速することを特徴とする請求項１記載の空気調和機。
【請求項３】
前記増速制御の風速モードと前記減速制御の風速モードが異なる場合には、大きい方の風速モードにすることを特徴とする請求項１記載の空気調和機。
【請求項４】
誘電体フィルターを備えた電気集塵空清ユニットと、外気を室内に取入れる給気運転が可能な換気装置と、その外気の吸入経路に設けた空清フィルターを有し、前記浮遊物センサーが所定濃度以上の浮遊物を検知した場合に、該電気集塵空清ユニットの運転と該換気装置の給気運転を行うことを特徴とする請求項１記載の空気調和機。
【発明の詳細な説明】
【技術分野】
【０００１】
本発明は空気調和機に係り、特に風速の制御に関する。
【背景技術】
【０００２】
近年、杉花粉の大量飛散に伴ない花粉症にかかる人が増えている。花粉症は花粉をアレルゲンとしたアレルギー反応によって引き起こされ、くしゃみ，鼻水，目のかゆみなどの症状を現す。花粉症のアレルゲンとしては第一に杉花粉が挙げられるが、この他にも、杉花粉と性状が似ている檜の花粉も挙げられていて、花粉の飛ぶ時期が違うため、花粉症の要注意期間が長くなっている。
【０００３】
また、花粉以外にも室内には生活に伴うハウスダスト，煙草の煙，室内でのペットの飼育や冷暖房機器の普及に伴う室内環境の通年快適化によりダニの繁殖が進むことによる有害微細動物の増加などで、室内の空気が汚染され、これらも、アレルゲンの一つとして喘息の発作を引起したり、他のアレルギー反応の発作を助長している。さらに、室内で発生する浮遊物以外にも、例えば、黄砂，強風による砂塵，噴火などによる火山灰，自動車の排ガス，工場排気ガス，排煙等、これらの室外で発生した浮遊物が自然換気，人為的，機械的換気、または、人の衣服への付着などにより室内に入り込み、室内の人を不快にさせると共に、他のアレルギー反応の発作も助長している。
【０００４】
このような、室内環境を改善するため、従来、室内空気を必要な時に、速やかに清浄にする種々の工夫がなされている。この種の従来技術として、特開２００２−１１９８１７号公報，特開平０８−２３８４１０号公報，特開２００２−１１９８９０号公報，特許
３０１２２３５号公報が知られている。
【０００５】
特許文献１は光学式粉塵センサーで検出した粉塵濃度の移動平均値により送風機を制御し、濃度が上昇中はサンプリング数を少なくし、下降中は多くする空気清浄機について述べている。
【０００６】
特許文献２は光学式埃センサーで検出した粉塵濃度が上昇中はサンプリング間隔を短くし、下降中は長くする。又、最低基準濃度を切ったときは所定時間のファンの追加運転をする空気清浄機について述べている。
【０００７】
特許文献３は光学式粉塵センサーで検出した粉塵濃度の移動平均値が所定時間連続して基準値以上若しくは以下となった時に送風機を段階的に制御する。また、粉塵濃度が上昇中は、所定時間を下降中より短くする空気清浄機について述べている。
【０００８】
特許文献４は粉塵濃度を粉塵濃度判定基準値と比較後、光学式粉塵検知器のデータを一定時間サンプリングして平均化した平均粉塵濃度、又は、粉塵濃度判定値を連続して越える時間とから送風機を制御する空気清浄機について述べている。
【０００９】
【特許文献１】特開２００２−１１９８１７号公報
【特許文献２】特開平０８−２３８４１０号公報
【特許文献３】特開２００２−１１９８９０号公報
【特許文献４】特許３０１２２３５号公報
【発明の開示】
【発明が解決しようとする課題】
【００１０】
屋外で発生する主な浮遊物としては前述のように黄砂，強風による砂塵，噴火などによる火山灰，自動車の排ガス，工場排気ガス，排煙，花粉等がある。この中で自動車の排ガス，工場排気、排煙等は人為的なものであり、大気汚染防止法などによる規制により改善が図られている。また、黄砂，強風による砂塵，噴火などによる火山灰等は自然現象によって引起されるもので減少させたり、規制することはできないが、これらの無機的な浮遊物は他のアレルゲンによるアレルギー反応を助長することはあるがこれ自体がアレルギー反応を引起すことは少ない。
【００１１】
屋外で発生する浮遊物の中で唯一、発生の規制が不可で、強いアレルギー反応を引起す浮遊物である花粉に対しては今後も自然環境保護の観点から共存関係を維持して行かなければならないが、一方では、花粉に過敏な人が居て、花粉症の発作の起こらない環境への強い要望もある。このように、花粉の飛散の少ない品種への改良，切換えが効を奏するまでの間においても、花粉に過敏な人が憂鬱な花粉症の時期を平常に過ごすことができる方策が強く望まれている。
【００１２】
特許文献１，特許文献２では煙草の煙などの局部的な粉塵濃度が桁違いに大きい粉塵が対象になった場合は、煙の揺らぎで、粉塵濃度に大きな変動が生じ、粉塵濃度が上昇中か下降中かの判別が困難になり、この判定のための複雑なアルゴリズムが必要となり、その検証にも時間が懸かり、製品開発の長期化の一因になる。
【００１３】
特許文献３では光電式浮遊物センサーを使用した場合、センサーの感度が高く、煙草の煙などの局部的な粉塵濃度が桁違いに大きい粉塵が対象になった時は、煙の揺らぎで、粉塵濃度は短時間に激しく上下を繰り返し、連続して基準濃度を越えるまでには、長時間を要し、急激な濃度の上昇に追随できない。
【００１４】
特許文献４では粉塵濃度が判定基準値以下の場合は所定時間サンプリングした後に平均化されるサンプリング処理がなされるため、サンプリングしている期間は回転数の更新が行われず、この間の粉塵濃度の変化には素早く対応することができない。
【００１５】
本発明の目的は、急激な浮遊物の増加に応じて室内空気の清浄化能力をいち早く増加できると共に、突発的なノイズ等での風速の不要な増速を招くことの無い空気調和機を提供することにある。更に、風量の頻繁な切換りを抑制し、安定した運転で室内を清浄な状態にすることにある。
【課題を解決するための手段】
【００１６】
屋外に大量の花粉が飛散している時期には、自然換気や強制換気により家屋の隙間を通って室内にも多量の花粉が侵入する。このような時は電気集塵空清ユニットを運転し、室内に浮遊する花粉を除去すると共に、換気の経路を変えて、外気を室内に導入する時に外気に含まれている花粉を除去することで、室内の花粉を速やかに除去する。
【００１７】
本発明の目的は、送風機と、光電式浮遊物センサーと、該浮遊物センサー出力の第１の所定時間内の第１の所定個数のデータの中の上位から２番目以降の所定順位のデータを抽出する手段と、該浮遊物センサー出力の第２の所定時間内の第２の所定個数のデータの平均値を求める手段と、該所定順位のデータにより該送風機を増速制御する手段と、該平均値により該送風機を減速制御する手段とを備えることにより達成される。
【００１８】
また、前記第１の所定時間を前記第２の所定時間と同時間若しくは短時間、又は、前記第１の所定個数を前記第２の所定個数と同数若しくは少数とし、前記所定順位を２以上で前記第１の所定個数の１／２以下とし、且つ、前記減速制御時は減速前の送風状態を第３の所定時間維持した後に減速することにより達成される。
【００１９】
また、前記増速制御の風速モードと前記減速制御の風速モードが異なる場合には、大きい方の風速モードにすることにより達成される。
【００２０】
また、誘電体フィルターを備えた電気集塵空清ユニットと、外気を室内に取入れる給気運転が可能な換気装置と、その外気の吸入経路に設けた空清フィルターを有し、前記浮遊物センサーが所定濃度以上の浮遊物を検知した場合に、該電気集塵空清ユニットの運転と該換気装置の給気運転を行うことにより達成される。
【発明の効果】
【００２１】
本発明によれば、急激な浮遊物の増加に応じて室内空気の清浄化能力をいち早く増加できると共に、突発的なノイズ等での風速の不要な増速を招くことがない。また、風量の頻繁な切換りを抑制し、安定した運転で室内を清浄な状態にする。
【発明を実施するための最良の形態】
【００２２】
以下、本発明の空気調和機の一実施例について図を用いて説明する。まず、空気調和機の全体構成を、図１，図２を用いて説明する。図１は空気調和機の全体構成図である。図２は図１の室内機の化粧パネルを外した内部構成説明図である。
【００２３】
図１，図２において、符号１で総括的に示すのは空気調和機であり、室内機２と室外機６を接続配管８でつなぎ、室内を空気調和する。室内機２は筐体２１に室内熱交換器３３，電気集塵空清ユニット４０，送風機３１，露受皿３５等を取付け、化粧枠２３で覆い、化粧枠２３の前面に化粧パネル２５を取付けた構成になっている。化粧枠２３には室内空気を吸い込む空気吸込み口２７と、温湿度が調和された空気を吹き出す空気吹出し口２９とが上下に設けられている。
【００２４】
また、化粧パネル２５の中央下部には運転状況を表示する表示部３９７と、別体のリモコン５からの赤外線の操作信号を受ける受光部３９６が配置されている。
【００２５】
筐体２１には送風機３１，プレフィルター２３１，室内熱交換器３３，電気集塵空清ユニット４０，露受皿３５，制御部，上下風向板，左右風向板等の基本的な内部構造体が取付けられる。そして、筐体２１の内側に取付けられた送風機３１等の基本的な内部構造体は、化粧枠２３を取付けることにより室内機２内に内包される。
【００２６】
この空気調和機１を運転する時には、電源（図示せず）に接続してリモコン５を操作し、所望の暖房，除湿，冷房等の運転を行う。
【００２７】
冷房等の運転の場合、送風機３１を回転させ、室内熱交換器３３，電気集塵空清ユニット４０に室内空気を流通させると共に、室外機６を運転し協働して所望の冷房等の機能を発揮する。
【００２８】
室内機２は、内部に、図示しない制御部に制御基板を備え、該制御基板にマイコンが設けられる。該マイコンは図示しない室内温度センサー，室内湿度センサー等の各種のセンサーからの信号を受け、リモコン５からの操作信号を受光部３９６で受けると共に、電気集塵空清ユニット４０，送風機３１，上下風向板駆動モータ，左右風向板駆動モータ等を制御し、且つ、室外機との通信を司るなど、室内機２を統括して制御する。
【００２９】
室内機２は、運転停止状態で、リモコン５から運転操作の信号がなされると、マイコンは、リモコン５からの操作信号または自動運転が設定されていれば各種センサからの情報に基づいて冷房、または暖房等の運転モードを決定する。
【００３０】
次に、マイコンは送風機３１を回転させ、空気吸込み口２７から室内空気を吸込む。吸込んだ室内空気をプレフィルター２３１，電気集塵空清ユニット４０で除塵し、室内熱交換器３３で温風または冷風あるいは熱交換しないで上下風向板，左右風向板に沿って空気吹出し口２９から吹き出させるように制御する。一方、運転を停止する際は、電気集塵空清ユニット４０，送風機３１を停止した後に、上下風向板の駆動モータを逆回転させ空気吹出し口２９を閉じる。
【００３１】
プレフィルター２３１は電気集塵空清ユニット４０，室内熱交換器３３の吸込側を覆うように配置され、吸い込まれた室内空気中に含まれる粗い塵埃を取り除くためのものである。電気集塵空清ユニット４０はプレフィルター２３１と室内熱交換器３３との間に空気吸込み口２７に対向するように配置され、通過する室内空気中の粒径０.０１μｍ 程度の極小さい塵埃まで効率良く除塵する。送風ファン３１１は横長の貫流ファンで構成され、室内空気を空気吸込み口２７から吸い込んで空気吹出し口２９から吹き出すように室内機２内の中央に配置されている。室内熱交換器３３は送風ファン３１１の吸込側に配置されている。
【００３２】
露受皿３５は室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００３３】
これらによって、空調される室内空気を流す主風路が形成される。即ち、送風機３１を運転することで、室内空気は空気吸込み口２７から吸い込まれ、プレフィルター２３１，電気集塵空清ユニット４０で除塵され、室内熱交換器３３にて熱交換された後、空気吹出し口２９から室内に吹き出される。
【００３４】
換気装置３２は、室内機２内の一側部に配置される。具体的には、換気装置３２は、送風ファン３１１用の送風モータ３１３と反対側部に組み込まれている。換気装置３２は、室内空気を吸い込む換気装置吸込み口３２５を上部に有している。この換気装置吸込み口３２５は、プレフィルター２３１の下流側に位置し、空気吸込み口２７から吸い込まれた室内空気がプレフィルター２３１を介して吸い込まれる。
【００３５】
換気装置３２は、室内空気を室外に排気するとともに新鮮な室外空気を取り込む換気装置給排気口３２７を後部に有している。そして、換気装置給排気口３２７には換気風路
３９が接続され、この換気風路３９が室内機２と室外機６を接続する接続配管８と一緒に家屋の配管穴を貫通して室外に引き出され、換気風路３９の先端が外気に開放され、接続配管８は室外機６に接続される。
【００３６】
換気装置３２には電動式の切換ダンパーが設けられ、この切換ダンパーを操作して運転モードを給気運転または排気運転モードのいずれかに切換えている。
【００３７】
給気運転の場合、吸込まれた外気は給気経路に設けられた給気プレフィルターと給気空清フィルターを通って室内に吹出す。先ず、給気プレフィルターの表面で、空気中に含まれている塵埃が取り除かれる。更に、脱臭機能も有する給気空清フィルターを通ることで空気中に含まれている微小な塵埃と臭気を取り除かれ、清浄化されて室内に吹出す。給気空清フィルターでは、粒径１０μｍ以上の塵埃を９９.９％ に近い高効率で捕集することができる。
【００３８】
電気集塵空清ユニット４０に誘電体フィルターを使用することによりフィルターに保持できる塵埃の量が増加し、また、フィルターを掃除する時には水洗いをすることで帯電が除去され簡単に塵埃を離脱させることができる。
【００３９】
次に、本実施例で使用する浮遊物センサー１５８について図３，図４を用いて説明する。図３は浮遊物センサー１５８の動作説明図である。図４は負論理でパルス化した上位径以上の受光波形図である。
【００４０】
一般にコロイド溶液や煙霧質などに光を当てたとき、その微小な粒子によって光が散乱され、光の通路が一様に光って見える現象が知られている。この現象はチンダル現象と言われ、この現象を利用して目には見えない微細な粒子でもその存在を検知することができる。
【００４１】
図３において１５８で総括的に示す浮遊物センサーはこの方法による浮遊物センサーの一例であり、外殻１５８ａ下部に被測定空気の導入口１５８ｃ，外殻１５８ａ上部に被測定空気の排出口１５８ｄを有している。この外殻１５８ａの内部に導入口１５８ｃと排出口１５８ｄに連通する測定室１５８ｅが有り、測定室１５８ｅ内の導入口１５８ｃの近傍にヒーター１５８ｆを有し、ヒーター１５８ｆに通電して加熱による上昇気流を発生させる。
【００４２】
これにより導入口１５８ｃから排出口１５８ｄに向かう被測定空気の気流が生じ、測定室１５８ｅの測定スポット１５８ｇを被測定空気が通過する。この通過する被測定空気に発光ダイオード１５８ｈからの光を照射し、被測定空気に含まれる浮遊物により生じた散乱光を集光レンズ１５８ｉで集光して受光素子１５８ｊで受光する。受光データを解析して被測定空気に含まれる浮遊物の粒径と濃度を測定する。
【００４３】
このとき、集光レンズ１５８ｉで絞り込んだ狭い範囲の測定スポット１５８ｇを通過する浮遊物だけを対象にして散乱光の強度を測定する。これと測定の周期を十分短くする
（実施例では１ｍｓとした。）ことにより、測定スポット１５８ｇを通過する浮遊物の個数が１測定周期中に１個以下となるようにしている。勿論、対象とする浮遊物の濃度、つまり空気の汚れ具合に応じて、ヒーター１５８ｆへの入力等を増減して適正な値にする。
【００４４】
室内浮遊物の主なものは、花粉症の原因となる杉花粉，檜花粉，喘息などの発作の引き金となるハウスダスト，埃っぽいと感ずる綿埃を主とした埃，煙いと感ずる煙草の煙を主とした煙である。これらの浮遊物の大きさは
煙＜ハウスダスト≒花粉＜埃
の順になり、その大きさは概略以下のようである。
【００４５】
煙が          ０.０１〜２μｍ
ハウスダストが０.８〜１００μｍ
花粉が        ６〜１００μｍ
埃が          １００μｍ以上
特に花粉症の主原因となる杉花粉，檜花粉の大きさは２０〜４０μｍである。
【００４６】
本実施例で使用する浮遊物センサーは煙草の煙などの比較的小さい粒径の浮遊物も検知できる。さらに、内部にセンサー制御器１５８ｋを備え、５Ｖの直流電源を供給することにより、ヒーター１５８ｆ，発光ダイオード１５８ｈへの通電、受光素子１５８ｊで受光する浮遊物の散乱光の強度の時間変化から浮遊物を検知した時間（％）を演算し出力する機能も有している。
【００４７】
次に、この浮遊物センサー１５８の動作を図４を用いて説明する。図４は浮遊物による散乱光を検知したときの負論理のパルス波形図である。
【００４８】
花粉やハウスダスト，埃，煙草の煙などの浮遊物が測定スポット１５８ｇを通過するときには、浮遊物により散乱される光を感知して、受光素子１５８ｊには電流が流れる。従って、電流が流れたときを「通過中」、電流が流れていないときを「通過せず」と考えることができる。この電流を加工することで、浮遊物が測定スポット１５８ｇを通過するときの負論理のパルス波形を図４の如く出力することができる。
【００４９】
更に、浮遊物センサー１５８のセンサー制御器１５８ｋは図４（ｂ）のＬｏ出力の時間を１秒間積算し、浮遊物を検知した時間比率（％）ＤＳを出力する。
【００５０】
この１秒毎の時間比率（％）ＤＳの所定回分のデータを制御部の記憶部に蓄積し、所定回分の平均時間比率ＭＤＳのデータと、予め粒径分布と濃度が既知の浮遊物で確認しておいた平均時間比率を比較し濃度を決定する。あるいは、このデータと予め確認しておいた精密な浮遊物のパーティクルカウンターのカウント数との相関関係を基に濃度を決定する。このようにして花粉やハウスダスト，埃，煙草の煙などの浮遊物の濃度も確定することができる。
【００５１】
実施例では浮遊物の濃度を決定するのに、散乱光強度が閾値以上の時間を積算している。浮遊物の濃度を決定する方式としては、他にも散乱光と標準光を比較する比色計式，測定スポットを広くして散乱光の強度を測定する光度計式，浮遊物の散乱光を計数する計数計式など種々の方式が考えられるが、濃度の決定には十分な信頼性を確保してあればどのような方法を用いても良い。
【００５２】
なお、電気集塵空清ユニット４０の運転制御には浮遊物濃度そのものが必要というわけでは無いので、浮遊物濃度を演算する代わりに浮遊物濃度に相関する量を演算し、その量で以後の運転を制御するようにしても良い。実施例では浮遊物センサーからの時間比率
（％）ＤＳにより運転を制御するようにしている。
【００５３】
図５はリモコン機能の説明図である。（ａ）はリモコンの扉を閉じた正面図、（ｂ）はリモコンの扉を開いて内部操作ボタンを示した正面図、（ｃ）は（ｂ）の部分拡大図である。リモコン５の送受信部５４の側を室内機２に向けて操作することで、操作信号が送受信部５４から室内機２に向かって送信され、空気調和機１に所望の運転を行わせる。リモコン５は扉５２に使用頻度の多い外部操作ボタン５３が並んで外部操作面を形成し、扉
５２を開けると使用頻度の少ない内部操作ボタン５５が並んで内部操作面を形成している。
【００５４】
次に、この浮遊物センサー１５８を使用した空気調和機１の浮遊物除去運転動作について図６〜図１３を用いて説明する。図６は風速制御説明図である。図７はデータ蓄積手段のメモリ配置図、図８，図９は図６の所定順位データ抽出手段要部フローである。図１０は図６の平均値演算手段要部フローである。図１１は風速切換え閾値を示す表である。図１２は風速決定手段要部フローである。図１３は換気機能選択手段要部フローである。
【００５５】
例えば、空気調和機１を設置した室内で、居住者が花粉の気配を感じて花粉除去の必要性を認めた場合、リモコン５を室内機２に向け、花粉ボタン５３ｊを押下する。または、花粉の飛ぶ時期になったらリモコン５から花粉見張り機能の設定を室内機２に指示する。
【００５６】
また、居住者が煙草の煙が煙いと感じて煙除去の必要性を認めた場合、リモコン５を室内機２に向け、扉５２を開いて空清運転ボタン５５ｂを押下する。または、喫煙の機会が多く室内の空気質の悪化が予想される時にリモコン５の見張選択ボタン５５ｋを押下し、汚れ見張り機能を選択して入／切ボタン５５ｊを押下することで室内の汚れ見張りの設定を室内機２に指示する。
【００５７】
浮遊物除去運転では、電気集塵空清ユニット４０の運転と、浮遊物センサー１５８の出力に応じた送風機３１の運転と、換気装置３２の給気運転又は排気運転とを行う。
【００５８】
浮遊物除去運転は、リモコン５で花粉見張りまたは汚れ見張り機能が設定されていて、且つ、室内の浮遊物の濃度が高い時か、リモコン５で花粉ボタン５３ｊが押下された時に行われる。リモコン５で花粉ボタン５３ｊが押下されるか花粉見張りまたは汚れ見張り機能が設定されると空気調和機運転制御は「花粉ボタンフラグ」及び／又は「花粉見張りフラグor汚れ見張りフラグ」をオンにし、浮遊物除去運転制御を開始する。図１１のように、花粉見張りフラグor汚れ見張りフラグよりも、花粉ボタンフラグの方が優先順位が高いので、花粉ボタンフラグがオンの場合は花粉見張りフラグor汚れ見張りフラグは参考となるに過ぎない。
【００５９】
実施例では浮遊物センサーとして検知下限の粒径が１μｍ以下のものを使用し、ほぼ全ての花粉，埃及び大きめのハウスダストは勿論のこと、煙草の煙の中に必ず含まれている１μｍ以上の成分を検知できるようにした。従って、煙草の煙の除去もできるようにしている。
【００６０】
浮遊物除去運転を行うに際して、清潔志向の傾向から、浮遊物の濃度が上がった時には速やかに風速を増した運転で強力に除塵し、安定した運転で浮遊物の濃度に応じて風速を減じて静粛な運転に自動的に切換り、浮遊物の濃度が十分下がってから運転を停止して欲しいと言う要求がある。
【００６１】
浮遊物の濃度によりこのような制御をしようとすると、浮遊物の濃度が上がった時に速やかに追随するために、極端な場合、所定間隔毎に出力される浮遊物センサーからのデータに応じて、風速を切換える方法が考えられる。この方法によれば、所定間隔毎に浮遊物の濃度に応じて風速を制御できるので、浮遊物の濃度に即応した運転となる。
【００６２】
しかし、光電式浮遊物センサーの出力が浮遊物の有無を散乱光の強度の変化として計測しているため、感度が高く、ノイズや浮遊物の局部的な濃淡に影響され易く、その出力は高低の差が大きいデータとなるため、上記の方法では、風速の変化が頻繁に起こり、実用的でない。
【００６３】
逆に、所定間隔毎に出力される浮遊物センサーデータの十分な個数を平均し、浮遊物センサーデータのバラツキを吸収して平準化した平均値で、風速を切換える方法も考えられる。この場合は、頻繁な風速の切換りは回避できるが、浮遊物の濃度が上がった時の速やか対応が犠牲になる。
【００６４】
上記の２つの方法の中間を採って、風速を制御する方法も考えられるが、一長一短で濃度が上がった時の速やかな増速運転と、安定運転を両立させることは困難である。
【００６５】
これを両立させるため、本実施例では風速を増速する時と減速するときで異なるデータの処理によって得られた代表値で制御するようにし、更に、風速の頻繁な切換りを抑制しつつ、適切な風速を選択するようにしたものである。
【００６６】
即ち、室内の浮遊物の濃度が高くなり、急速に風速を増速したい時には短い第１の所定時間中の最大値に近い所定順位のデータに従って増速し、順調に浮遊物の除去が進み風速を減速したい時には、第１の所定時間よりも長い第２の所定時間のデータの平均値に従って減速し、且つ減速時には風速が変化してからの減速禁止時間を設けると共に、減速時には風速の変化が１段階ずつ減速するようにした。
【００６７】
浮遊物センサー１５８を用いた送風機風速制御部１１は図６に示すように所定順位データ抽出手段１１１，平均値演算手段１１３，データ蓄積手段１１５，増速風速選択手段
１１７，減速風速選択手段１１９，風速決定手段１２４，風速制御手段１２６から構成される。
【００６８】
所定順位データ抽出手段１１１は浮遊物センサー１５８から所定間隔（実施例では１秒とした。）毎に前述の時間比率（％）ＤＳのデータを読込み、データ蓄積手段１１５に送る。また、直近の第１の所定時間（実施例では６０秒間とした。）の第１の所定個数（実施例では６０個とした。）のデータの中の上位から所定順位(実施例では第３位とした。)のデータを、後述するデータ蓄積手段１１５のメモリＣ，メモリＤを使用して、抽出し増速風速選択手段１１７に送る。
【００６９】
平均値演算手段１１３は浮遊物センサー１５８から所定間隔(実施例では１秒とした。)毎に前述の時間比率（％）ＤＳのデータを読込み、データ蓄積手段１１５に送る。また、直近の第２の所定時間（実施例では１２０秒間とした。）の第２の所定個数（実施例では１２０個とした。）のデータの平均値を演算し減速風速選択手段１１９に送る。
【００７０】
データ蓄積手段１１５は所定順位データ抽出手段１１１と平均値演算手段１１３から送られてくる時間比率（％）ＤＳのデータを後述のメモリＡ，メモリＢに格納する。また、所定順位データ抽出手段１１１が使用する中間データをメモリＣ，メモリＤに格納する。
【００７１】
増速風速選択手段１１７は抽出データと予め図１１に示すように選定された風速モードを切換える時間比率の閾値Ａ１〜Ｄ１とを比較し、増速した場合の風速モードを風速決定手段１２４に送る。
【００７２】
減速風速選択手段１１９は平均値データと予め図１１に示すように選定された風速モードを切換える時間比率の閾値Ａ２〜Ｄ２とを比較し、減速した場合の風速モードを風速決定手段１２４に送る。
【００７３】
風速決定手段１２４は減速風速選択手段１１９から送られてきた風速モードと増速風速選択手段１１７から送られてきた風速モードとを比較し、減速か増速かを決定し（図１２で後述する）、決定した風速モードを風速制御手段１２６に指示する。
【００７４】
風速制御手段１２６は指示された風速モードで送風機３１を駆動する。
【００７５】
図７は図６のデータ蓄積手段のメモリ配置図である。データ蓄積手段１１５は各々第１の所定個数（実施例では６０）のデータを格納できるメモリＡ，Ｃ，Ｄと第２の所定個数（実施例では１２０）のデータを格納できるメモリＢから構成されている。
【００７６】
メモリＡは所定間隔（実施例の場合１秒間隔）でサンプリングされる浮遊物センサー
１５８からのデータ（時間比率）を第１の所定個数、格納し、所定順位データを抽出するための元データとして使用する。
【００７７】
メモリＢも同様に、浮遊物センサー１５８からのデータ（時間比率）を第２の所定個数、格納し、平均値を演算するための元データとして使用する。
【００７８】
メモリＣは所定順位データを抽出するために使用するメモリであり、メモリＡのデータ（時間比率）を大きい順にその格納されているメモリＡのアドレスをメモリＣのデータとして格納したものである。このため、メモリＣのアドレスはメモリＡのデータ(時間比率)の降順の順位となり、メモリＣのアドレス順に大きい順のデータ（時間比率）が格納されているメモリＡのアドレスが格納される。
【００７９】
メモリＤは所定順位データを抽出するために使用するメモリであり、メモリＤのアドレスは、メモリＡのアドレスに例えば任意の定数を加算するなどして、メモリＡのアドレスと相互に関係付けられたものとし（実施例では、定数１８０を加算した。）、メモリＤのデータは関係付られたメモリＡのアドレスが格納されているメモリＣのアドレス(＝順位)を格納する。
【００８０】
なお、アドレスの値は説明を簡単にするため１〜２４０を使用したが、実施に際しては適宜なアドレスを使用しても同様の制御をすることができるのは言うまでも無い。
【００８１】
次に、所定順位データ抽出手段の動作を図８，図９を用いて説明する。図８，図９は所定順位データ抽出手段要部フローである。
【００８２】
所定順位データ抽出手段１１１はＳ３０５で浮遊物センサーデータＤＳ取込む。
【００８３】
ｎはメモリＡのアドレスであり、実施例の場合、ｎ＝６１〜１２０となり、浮遊物センサーデータＤＳを取込む毎に＋１される。Ｓ３１０でｎの範囲を確認し、範囲外の場合はＳ３１５でｎ＝６１に初期化する。
【００８４】
次に、Ｓ３２０でメモリＡのアドレスｎのデータＤｎを読出す。
【００８５】
ＳＧはセンサーデータＤＳとメモリＡから読み出したデータＤｎの大小を示す符号であり、Ｓ３３０でＤＳ≧Ｄｎの場合はＳ３２５でＳＧ＝１としたそのままの値が使用され、Ｓ３３０でＤＳ＜Ｄｎの場合はＳ３３５でＳＧ＝−１となり符号が反転する。
【００８６】
次に、Ｓ３４０でメモリＤのアドレスｎ′のデータ（順位）Ｈｎ′を読出す。
【００８７】
ｎ′はメモリＡのアドレスｎに１８０を加算してメモリＤのアドレスとしたものであり、ｎとｎ′が相互に一義的に関係付けられていれば、他の関係付であっても良い。
【００８８】
次に、Ｓ３４５でｈ＝Ｈｎ′−ＳＧを演算する。これはセンサーデータＤＳとメモリＡから読み出したデータＤｎの間の値を持ったデータの順位を１ずつ繰上げ、又は繰下げるためである。ＤＳ≧Ｄｎの場合は順位を１ずつ繰下げ、ＤＳ＜Ｄｎの場合は順位を１ずつ繰上げる。
【００８９】
Ｓ３５０で繰上げ、又は繰下げした順位ｈが第１の所定個数（実施例では６０個とした。）内の順位であればＳ３５５に進む。Ｓ３５５でメモリＣのアドレスｈのデータ（メモリＡのアドレス）Ｎｈを読出し、Ｓ３６０でメモリＡのアドレスＮｈのデータＤＮｈを読出す。
【００９０】
Ｓ３６５でセンサーデータＤＳとメモリＡから読み出したデータＤＮｈを比較する。この時、ＤＳ≧ＤｎでもＤＳ＜Ｄｎでも同じ処理を行えるように符号ＳＧを使用してＳＧ×ＤＳとＳＧ×ＤＮｈを比較する。
【００９１】
ＤＳ≧Ｄｎの場合はＳＧ＞０なのでＳ３６５で
ＳＧ×ＤＳ＞ＳＧ×ＤＮｈ
であれば、このデータＤＮｈの順位を繰下げるべくＳ３８０に進む。
【００９２】
ＤＳ＜Ｄｎの場合はＳＧ＜０なのでＳ３６５で
ＳＧ×ＤＳ＞ＳＧ×ＤＮｈ
であれば、ＤＳ＜ＤＮｈとなるので、このデータＤＮｈの順位を繰上げるべくＳ３８０に進む。Ｓ３６５で
ＳＧ×ＤＳ＞ＳＧ×ＤＮｈ
の場合は、Ｓ３７０に進み、Ｓ３７０で
ＤＳ＝ＤＮｈ  and  ＳＧ＞０
であるか否かを確認する。ＤＳ＝ＤＮｈの場合データの順位は等しくなるが、新しいデータＤＳの順位を上位にすることにして、ＳＧ＞０の時は、データＤＮｈの順位を繰下げるべくＳ３８０に進む。
【００９３】
ＤＳ＝ＤＮｈ  and  ＳＧ＞０
以外の時は、センサーデータＤＳとメモリＡから読み出したデータＤｎの間の値を持ったデータの順位の繰上げ、又は繰下げが終了しているのでデータＤＮｈの順位を繰上げないで、新しいデータＤＳの順位を上位に定めるべく符号Ｐを介してＳ３９５に進む。
【００９４】
次に、Ｓ３８０でメモリＤのアドレスＮ′ｈのデータ(順位)ｈをｈ＋ＳＧに、Ｓ３８５でメモリＣのアドレスｈ＋ＳＧのデータ（メモリＡのアドレス）Ｎｈ＋又はＮｈ−をＮｈに更新し、データＤＮｈの順位を繰上げ又は繰下げる。ＤＳ≧Ｄｎの場合はＳＧ＞０なので順位の繰下げとなり、ＤＳ＜Ｄｎの場合はＳＧ＜０なので順位の繰上げとなる。
【００９５】
次に、Ｓ３９０でｈ＝ｈ−ＳＧを演算し、一つ上、又は、下の順位についてＳ３５０に戻り、上述と同様の処理を行う。ＤＳ≧Ｄｎの場合はＳＧ＞０なので一つ順位を上げ、
ＤＳ＜Ｄｎの場合はＳＧ＜０なので一つ順位を下げる。
【００９６】
Ｓ３５０でｈが第１の所定個数（実施例では６０個とした。）内の順位とならない時には符号Ｐを介してＳ３９５に進む。これは、新しいデータＤＳがメモリＡ内の最大データよりも大きい若しくは等しい、又は、メモリＡ内の最小データよりも小さい若しくは等しい場合である。この場合はセンサーデータＤＳとメモリＡから読み出したデータＤｎの間の値を持ったデータの順位の繰上げ、又は繰下げが終了しているので、新しいデータＤＳの順位を定めるべく符号Ｐを介してＳ３９５に進む。
【００９７】
次に、Ｓ３９５でメモリＤのアドレスｎ′のデータ（順位）Ｈｎ′をｈ＋ＳＧに、
Ｓ４００でメモリＣのアドレスｈ＋ＳＧのデータ（メモリＡのアドレス）Ｎｈ＋又はＮｈ−をｎに、Ｓ４０５でメモリＡのアドレスｎのデータＤｎをＤＳに更新し、メモリＡ，Ｃ，Ｄ内のデータの更新を終了する。
【００９８】
次に、Ｓ４１０でメモリＣのアドレスＳ（所定順位）のデータ（メモリＡのアドレス）ＮＳを読出し、Ｓ４１５でメモリＡのアドレスＮＳのデータ（所定順位データ）ＤＮＳを読出し、Ｓ４２０でデータＤＮＳを所定順位Ｓの浮遊物センサーデータとして増速風速選択手段１１７に出力する。
【００９９】
次に、Ｓ４２５でｎ＝ｎ＋１を演算し、次の所定時間間隔（実施例では１秒とした。）の経過を待つべく所定順位データ抽出処理を終了する。
【０１００】
次に、平均値演算手段の動作を図１０を使用して説明する。図１０は平均値演算手段要部フローである。
【０１０１】
平均値演算手段１１３はＳ４７５で浮遊物センサーデータＤＳを取込む。
【０１０２】
ＲはメモリＢのアドレスであり、実施例の場合、Ｒ＝１２１〜２４０となり、浮遊物センサーデータＤＳを取込む毎に＋１される。Ｓ４８０でＲの範囲を確認し、範囲外の場合はＳ４８５でＲ＝１２１に初期化する。
【０１０３】
次に、Ｓ４９５でメモリＢのアドレスＲにデータＤＳを格納し、Ｓ５００でメモリＢ内のデータの平均を演算し、平均時間比率ＭＤＳとする。
【０１０４】
次に、Ｓ５０５でＲ＝Ｒ＋１を演算し、次の所定時間間隔（実施例では１秒とした。）の経過を待つべく平均値演算処理を終了する。
【０１０５】
次に、所定順位データＤＮＳ，平均値ＭＤＳから送風機３１の風速モードを図１１の閾値により選択する。図１１は風速切換え閾値を示す表である。
【０１０６】
この空気調和機は浮遊物の濃度に応じ送風機３１の風速を変化させ、浮遊物の濃度が高い時にはより風速を大きくして電気集塵空清ユニット４０を通過する室内空気を増し、電気集塵空清ユニット４０の単位時間当りの集塵量を大きくして室内の浮遊物を速やかに少なくするものである。このため、予め実験によって定めた適切な浮遊物の濃度で風速モードが切換わるよう図１１に示すような風速切換えの閾値となる時間比率Ａ１〜Ｄ１，Ａ２〜Ｄ２を定めておく。風速を増速する時は短い第１の所定時間中の最大値に近い所定順位のデータを用い、風速モードを切換える閾値はＡ１〜Ｄ１である。風速を減速する時は長い第２の所定時間のデータの平均値を用い、風速モードを切換える閾値はＡ２〜Ｄ２である。これらの閾値Ａ１〜Ｄ１，Ａ２〜Ｄ２は制御プログラムからいつでも参照できるように制御装置の記憶部に格納されている。
【０１０７】
尚、閾値Ａ２〜Ｄ２は閾値Ａ１〜Ｄ１より小さくしてある。これは風速モードを上げる場合の閾値と風速モードを下げる場合の閾値にヒシテリシスを持たせ、風速が頻繁に切換るの防止して送風機運転の安定性を確保するためである。
【０１０８】
このように、所定間隔（実施例では１秒とした。）毎に浮遊物センサー１５８から新しいデータを取込み、古いデータを捨てて最新の第１の所定個数のデータの中から所定順位データ（実施例では第３位のデータとした。）を抽出して増速風速制御データとし、増速する場合の風速モードを選択し風速決定手段１２４に送る。また、所定間隔（実施例では１秒とした。）毎に浮遊物センサー１５８から新しいデータを取込み、古いデータを捨てて最新の第２の所定個数のデータの平均値（＝移動平均値）を演算し、この移動平均値を減速風速制御データとし、減速する場合の風速モードを選択し風速決定手段１２４に送る。
【０１０９】
次に、風速決定手段１２４の動作について図１２を用いて説明する。図１２は図６の風速決定手段要部フローである。
【０１１０】
風速決定手段１２４はＳ７３５で現在風速モードＦＳ０を読込む。また、Ｓ７４０で増速風速選択手段１１７から増速風速モードＦＳＡ、減速風速選択手段１１９から減速風速モードＦＳＤを読出す。
【０１１１】
読み出した減速風速モードＦＳＤと現在風速モードＦＳ０をＳ７４５で比較する。ここで、風速モードの大小は、送風機の風速がより速くなる風速モードをより大きい風速モードとする。
【０１１２】
Ｓ７４５で減速風速モードＦＳＤが現在風速モードＦＳ０以上の場合は、増速方向の制御が必要になるので、減速風速モードＦＳＤによる制御を行わせないためＳ７６０に進み、減速風速モードＦＳＤを現在風速モードＦＳ０に修正する。
【０１１３】
Ｓ７４５で減速風速モードＦＳＤが現在風速モードＦＳ０より小さい場合はＳ７５０で現在時刻Ｔを確認し、Ｓ７５５で後述する風速モードが変化してからの経過時間が３分以上であるか否かを調べ、経過していないときは風速の頻繁な変化を抑制するためＳ７６０に進み、減速風速モードＦＳＤを現在風速モードＦＳ０に修正する。
【０１１４】
Ｓ７５５で風速モードが変化してからの経過時間が３分以上であるときにはＳ７６５に進み、減速風速モードＦＳＤを現在風速モードＦＳ０から１段階減速した風速モードに修正する。この場合、減速風速選択手段１１９からの減速風速モードＦＳＤをそのまま使用しないで１段階減速に修正するのは、除塵が順調に進んでいる状態を急激に変化させ無いためである。
【０１１５】
増速風速モードＦＳＡとＳ７６０またはＳ７６５で修正した減速風速モードＦＳＤを
Ｓ７７０で比較する。比較した結果、増速風速モードＦＳＡが修正した減速風速モード
ＦＳＤ以上の場合はＳ７７５に進み、指示風速モードＦＳを増速風速モードＦＳＡに設定する。比較した結果、増速風速モードＦＳＡが修正した減速風速モードＦＳＤより小さい場合はＳ７８０に進み、指示風速モードＦＳを修正した減速風速モードＦＳＤに設定する。
【０１１６】
Ｓ７８５で指示風速モードＦＳと現在風速モードＦＳ０を比較し、指示風速モードＦＳが現在風速モードＦＳ０と変わらなければＳ７９３に進み、指示風速モードＦＳを風速制御手段１２６に出力する。指示風速モードＦＳが現在風速モードＦＳ０から変化する場合はＳ７９０に進み、現在時刻をＴ０に格納し、Ｓ７５５での経過時間の判定に備える。
【０１１７】
このように、風速決定手段１２４は減速風速選択手段１１９から送られてきた風速モードが現在の風速モード以上の場合は減速風速選択手段１１９から送られてきた風速モードを現在の風速モードに修正する。
【０１１８】
また、減速風速選択手段１１９から送られてきた風速モードが現在の風速モード未満の場合は、現在の風速モードでの運転継続時間が３分間未満のときには減速風速選択手段
１１９から送られてきた風速モードを現在の風速モードに修正する。
【０１１９】
これは、空気調和機の近辺の空気が清浄になって浮遊物センサー１５８からの出力が目標値以下となってからも、３分間の間は減速前の風量で除塵し、除塵性能が減少しない状態で、除塵運転し、室内の清浄度を確実に目標とする清浄度に到達させるためである。
【０１２０】
なお、現在の風速モードでの運転継続時間が３分間以上のときには減速風速選択手段
１１９から送られてきた風速モードを現在の風速モードより１段階下の風速モードに修正する。
【０１２１】
このように修正した減速風速モードと増速風速選択手段１１７から送られてきた風速モードと比較し、大きい方の風速モードを風速制御手段１２６に指示する。
【０１２２】
これは増速後の風速モードと減速後の風速モードが一致しない場合は、大きい方の風速モードを採用し浮遊物の除去力の大きい方の風速モードで運転するためである。
【０１２３】
このように、室内の浮遊物の量が少ない時は送風機を低速運転し低騒音で室内の騒音環境を維持しながら徐々に浮遊物濃度を下げる。室内の浮遊物の量が多い場合は、多少室内騒音が大きくなるが送風機の回転数を浮遊物の濃度に応じて一気に上げ、送風機をより高速運転し電気集塵空清ユニットを通過する室内吸込み空気の量を増加させ、高率に浮遊物を捕集して急速に室内の浮遊物濃度を下げる。
【０１２４】
次に、浮遊物除去運転時の換気装置３２と電気集塵空静ユニット４０の運転制御について図１３を用いて説明する。
【０１２５】
Ｓ８００で送風機３１の風速モードが停止モードの場合は、Ｓ８０７に進み給気運転指示フラグ及び排気運転指示フラグの状態を確認する。Ｓ８０７で給気運転指示フラグ又は排気運転指示フラグがオンしている場合は、リモコン５からの給気又は排気運転の指示が有る場合なので、Ｓ８０９に進み換気装置３２をリモコン５の指示に従い、給気運転又は排気運転し、Ｓ８１２に進み送風機３１を停止し、Ｓ８１５に進み電気集塵空静ユニット４０の運転を停止する。
【０１２６】
Ｓ８０７で給気運転指示フラグ及び排気運転指示フラグがオフしている場合は、リモコン５からの換気運転の指示が無い場合なので、Ｓ８１０に進んで換気装置３２を停止し、更にＳ８１２に進み前述と同様の制御を行う。
【０１２７】
Ｓ８００で送風機３１の風速モードが停止モード以外の場合は、Ｓ９００に進み送風機３１を指示風速で運転し、Ｓ９１０に進む。Ｓ９１０で給気運転指示フラグ又は排気運転指示フラグがオンしている場合は、リモコン５からの給気又は排気運転の指示が有る場合なので、Ｓ９１５に進み換気装置３２をリモコン５の指示に従い、給気運転又は排気運転し、Ｓ９８０に進み電気集塵空静ユニット４０を運転し、室内の浮遊物も除去して室内を速やかに清浄な状態に回復を図る。
【０１２８】
Ｓ９１０で給気運転指示フラグ及び排気運転指示フラグがオフしている場合は、Ｓ920に進み花粉ボタンフラグの状態を確認する。Ｓ９２０で花粉ボタンフラグがオンしている場合は、Ｓ９５５に進み給気運転を行い新鮮な外気を吸引し、給気通路に設けられた高性能な給気空清フィルターで花粉などの浮遊物を除去して室内に供給する。更に、Ｓ９８０に進み電気集塵空静ユニット４０を運転し、室内を清浄にする。
【０１２９】
Ｓ９２０で花粉ボタンフラグがオフしている場合は、Ｓ９５０に進み花粉見張りフラグの状態を確認する。Ｓ９５０で花粉見張りフラグがオンの場合は、Ｓ９５５に進み前述のように制御する。
【０１３０】
Ｓ９５０で花粉見張りフラグがオフの場合は、Ｓ９７０に進み汚れ見張りフラグの状態を確認する。Ｓ９７０で汚れ見張りフラグがオンの場合は、Ｓ９７５に進み排気運転を行い汚れた室内の空気を室外に排出し、Ｓ９８０に進み前述のように制御する。
【０１３１】
Ｓ９７０で汚れ見張りフラグがオフの場合は、Ｓ８１０に進み前述のように制御する。
【０１３２】
このように、花粉ボタンの押下、又は、花粉見張りが設定されていると、浮遊物を浮遊物センサー１５８で検知する。屋外で発生した浮遊物が大量に飛散し、自然換気，強制換気を問わず室内空気に必要とされる換気によって室内にも多量の屋外の浮遊物が侵入する等して、浮遊物の濃度が所定の濃度以上になった時に、電気集塵空清ユニット４０を運転して浮遊物を誘電体フィルターで捕捉して除去する。
【０１３３】
更に、換気装置を給気運転して、外気を導入し、外気の吸入経路に設けた空清フィルターを通すことにより含まれている屋外浮遊物を除去する。上記換気装置で屋外浮遊物を除去した外気を給気することで家屋の隙間からの自然換気が抑制され、多量の屋外浮遊物を含んだ外気が室内に侵入してくるのを防ぐ。
【０１３４】
このため、屋外に花粉などの浮遊物が充満している時に、換気しながらでも、室内の浮遊物を効率良く捕集し、浮遊物の濃度を短時間で減少させ、室内をいち早く浮遊物の少ない状態に維持することができる。
【０１３５】
なお、実施例では第１の所定時間を６０秒、第２の所定時間を１２０秒としているが、本実施例はこれに限定されるものではなく、第１の所定時間を第２の所定時間と同時間または短時間とすることにより、同等の効果が得られる所定順位を見出すことができる。
【０１３６】
また、実施例では第１の所定個数を６０個、第２の所定個数を１２０個としているが、第１の所定個数を第２の所定個数と同数または少数とすることにより、同等の効果が得られる所定順位を見出すことができる。
【０１３７】
また、実施例では所定順位を第３位としている。所定順位データを浮遊物の濃度が高くなった時に速やかに風速を増すための増速風速制御に使用するので、中央値よりも上位にすると良く、また、突発的なノイズによる異常値を除外するため最大値を除外すると良い。上述の第１の所定時間，第１の所定個数の数値や浮遊物センサーの感度，耐ノイズ性，電子回路のノイズ耐性，浮遊物が急激に増加する時に風速が増加するまでの目標とする応答時間などにより適正な値が決まるものであり、実証実験などにより確認の上、決定するのが良い。
【０１３８】
また、第３の所定時間を３分としているが、対象とする部屋の大きさや除塵性能、更には送風系の耐ショートサーキット性などにより変更するのが良い。この場合、対象とする部屋が大きいほど長く、除塵性能が大きいほど短く、ショートサーキットし易いほど長くすると良い。
【０１３９】
なお、所定順位データ抽出手段１１１，平均値演算手段１１３が浮遊物センサー１５８からデータを取込む所定間隔を実施例では１秒間隔としているが、浮遊物センサー１５８の測定精度が確保されるのであれば１秒間隔より短くても良く、また、浮遊物が急激に増加する時に風速が増加するまでの目標とする応答時間に余裕があれば１秒間隔より長くても良い。
【０１４０】
浮遊物センサー１５８の測定周期（実施例では１ｍｓとしている。）が短ければ、所定間隔が短くても、十分な精度の時間比率を得ることができ、また、対象となる浮遊物の濃度の目標レベルが低い時には所定間隔を長くすることにより精度を確保するのが良い。
【０１４１】
このように、浮遊物センサーに浮遊物を検知して出力する機能を備え、これと花粉の飛散時期に合せて指示，設定される花粉ボタン，花粉見張り機能を優先処理することで室内の花粉を識別し花粉除去運転を行うことができる。この場合、花粉ボタン，花粉見張り機能が指示，設定されていると煙草の煙，ハウスダスト，埃を感知しても花粉除去運転を始める。花粉除去運転でも電気集塵空清ユニットを運転し、加えて換気装置を給気運転して室内の浮遊物を減少させるので、電気集塵空清ユニットの運転が多少長くなるが、室内の浮遊物はほぼ同じように除去されるので空気調和機の使用者に不利益をもたらすことはほとんど無い。
【０１４２】
光電式浮遊物センサーは感度が高く、ほんの少しの塵埃も感知してしまうため、また、電子回路に偶発的，熱的に生ずる電気的なノイズの影響で、室内の空気が清浄な状態であっても、無視できない頻度でノイズとして短時間の検知出力を出力する。このノイズを除去して送風機を制御しないと送風機の不要な高風量運転を招き、エネルギー消費や騒音の点から不適切な運転となる。
【０１４３】
これを防ぐため、送風機を増速制御する時には、第１の所定時間内の第１の所定個数のデータの中からノイズの影響を強く受けていると考えられる上位の出力データの幾つかを除外し、所定順位の出力データに基づいて送風機を増速制御する。何番目の出力データに基づいて制御するかは、目標とする室内空気の清浄度や電子回路のノイズ耐力，順位付する対象となる出力データの個数などにより適正な値を選定すれば良い。
【０１４４】
また、送風機を減速制御する時には、第２の所定時間内の第２の所定個数のデータの平均値に基づいて送風機を減速制御する。これにより、室内空気の清浄度を目標となる清浄度に確実に到達させることができる。
【０１４５】
このため、急激な浮遊物の増加に応じて室内空気の清浄化能力をいち早く増加できると共に、突発的なノイズ等での風速の不要な増速による騒音の上昇を招くことも無く、また、風量の頻繁な切換りを抑制し、安定した運転で室内を清浄な状態にする空気調和機を得ることができる。
【０１４６】
第１の所定時間が長過ぎ、または、第１の所定個数が多過ぎると、過去の増速時の出力データの影響が強く働き過ぎて高風量運転になり易く、エネルギー消費，騒音の点から不利になる。これに対して、第１の所定時間を前記第２の所定時間と同時間若しくは短時間にすると、増速時に、過去の増速時の出力データを適切に対象外とすることができ、直近の出力データにより適切に送風機を制御できる。また、所定順位を第１の所定個数の１／２以上とすると、制御の基となる塵埃濃度が平均以下になる恐れが強く、低風量運転になり易い。このため、室内の塵埃濃度が下がり難くなる。
【０１４７】
これに対して、所定順位を第１の所定個数の１／２以下とすると、増速時の応答が高風量側に移り、応答が速くなる。これにより、過去に塵埃濃度が低い状態が続いていた場合でも直近の出力データで塵埃濃度が上がった場合は遅滞無く風量を増加させる制御を行う。また、空気調和機の近辺の空気が清浄になって浮遊物センサーからの出力が目標値以下となってからも、第３の所定時間の間は減速前の風量で除塵するので、除塵性能は減少することが無い。
【０１４８】
このため、増速時の応答を素早く、適切に行い、また、室内の清浄度を確実に目標とする清浄度に到達させる空気調和機を得ることができる。
【０１４９】
また、増速制御の風速モードと前記減速制御の風速モードが異なる場合には、大きい方の風速モードにすることで、常に除塵能力の大きい風速モードが採用されるので除塵能力が不足することが無い。このため、室内を清浄な状態にできる除塵能力を維持する空気調和機を得ることができる。
【０１５０】
また、誘電体フィルターを備えた電気集塵空清ユニットと、外気を室内に取入れる給気運転が可能な換気装置と、その外気の吸入経路に設けた空清フィルターを有し、前記浮遊物センサーが所定濃度以上の浮遊物を検知した場合に、該電気集塵空清ユニットの運転と該換気装置の給気運転を行うことで、屋外で発生した浮遊物が大量に飛散し、自然換気，強制換気を問わず室内空気に必要とされる換気によって室内にも多量の屋外の浮遊物が侵入した時に、この浮遊物の濃度を浮遊物センサーで検知する。浮遊物の濃度が所定の濃度以上になった時に、電気集塵ユニットを運転して浮遊物を誘電体フィルターで捕捉して除去する。
【０１５１】
さらに、換気装置を給気運転して、外気を導入し、外気の吸入経路に設けた空清フィルターを通すことにより含まれている屋外浮遊物を除去する。上記換気装置で屋外浮遊物を除去した外気を給気することで家屋の隙間からの自然換気が抑制され、多量の屋外浮遊物を含んだ外気が室内に侵入してくるのを防ぐ。
【０１５２】
このため、屋外で発生し、アレルギー反応による発作の原因、または、発作の助長物質となる浮遊物を検知し、除塵運転して室内を浮遊物の少ない状態に維持する空気調和機を得ることができる。
【０１５３】
また、花粉症の病状軽減のため、花粉の除塵に必要な給気機能を持つ換気装置を屋外空気との関係が不可欠な空気調和機に設けることで、換気用の換気ダクト，冷媒用の接続配管を家屋の壁に設けた共通の開口から屋外に取出すことができ、好都合である。また、煙草の煙は上に上がる性質があり、空気調和機は天井に近い位置に設置されることから、特に煙草の煙を清浄するのに空気調和機に清浄機能を設けることは好都合である。また、空気調和機は風量が大きいのに加えて、冷房の際は冷気を上向き（或いは天井近くから水平方向）に吹き出して室内の空気を循環させるようにし、暖房の際は暖気を下向きに吹き出して室内の空気を循環させるようにするので、効率よく室内の浮遊物を除塵することができる。このため、この空気調和機１台で空気清浄，換気，空気調和を実現し、省スペース化が図れる空気調和機を得ることができる。
【図面の簡単な説明】
【０１５４】
【図１】空気調和機の全体構成図。
【図２】図１の室内機の化粧パネルを外した内部構成説明図。
【図３】本発明に使用する浮遊物センサーの動作説明図。
【図４】負論理でパルス化した上位径以上の受光波形図。
【図５】リモコン機能説明図。
【図６】風速制御説明図。
【図７】図６のデータ蓄積手段のメモリー配置図。
【図８】図６の所定順位データ抽出手段要部フロー１。
【図９】図６の所定順位データ抽出手段要部フロー２。
【図１０】図６の平均値演算手段要部フロー。
【図１１】風速切換え閾値を示す表。
【図１２】風速決定手段要部フロー。
【図１３】換気機能選択手段要部フロー。
【符号の説明】
【０１５５】
１…空気調和機、２…室内機、５…リモコン、６…室外機、８…接続配管、１１…送風機風速制御部、２１…筐体、２３…化粧枠、２５…化粧パネル、２７…空気吸込み口、
２９…空気吹出し口、３１…送風機、３２…換気装置、３３…室内熱交換器、３５…露受皿、３７…ドレン配管、３９…換気風路、４０…電気集塵空清ユニット、５１…液晶表示部、５２…扉、５３…外部操作ボタン、５３ｊ…花粉ボタン、５４…送受信部、５５…内部操作ボタン、５５ｋ…見張選択ボタン、１１１…所定順位データ抽出手段、１１３…平均値演算手段、１１５…データ蓄積手段、１１５ａ…所定順位抽出用データメモリ、115b…平均値演算用データメモリ、１１５ｃ…所定順位抽出用アドレスデータメモリ、115ｄ…所定順位抽出用順位データメモリ、１１７…増速風速選択手段、１１９…減速風速選択手段、１２４…風速決定手段、１２６…風速制御手段、１５８…浮遊物センサー、158ａ…外殻、１５８ｃ…空気の導入口、１５８ｄ…空気の排出口、１５８ｅ…測定室、158ｆ…ヒーター、１５８ｇ…測定スポット、１５８ｈ…発光ダイオード、１５８ｉ…集光レンズ、１５８ｊ…受光素子、１５８ｋ…センサー制御器、２３１…プレフィルター、３１１…送風ファン、３１３…送風モータ、３２５…換気装置吸込み口、３２６…換気装置吹出し口、３２７…換気装置給排気口、３９６…受光部、３９７…表示部。
【図１】
2007155303.tif 000003
【図２】
2007155303.tif 000004
【図３】
2007155303.tif 000005
【図４】
2007155303.tif 000006
【図５】
2007155303.tif 000007
【図６】
2007155303.tif 000008
【図７】
2007155303.tif 000009
【図８】
2007155303.tif 000010
【図９】
2007155303.tif 000011
【図１０】
2007155303.tif 000012
【図１１】
2007155303.tif 000013
【図１２】
2007155303.tif 000014
【図１３】
2007155303.tif 000015